(57)【要約】【課題】構成と操作が簡易で、シート巻き軸の回転動力にモータを採用した半自動の電動式換気装置を提供する。【解決手段】温室の開口部を開閉する被覆シート類の下部を巻き込んだシート巻き軸の一端部と減速機構の出力軸、減速機構の入力軸とモータの出力軸とを回転力を伝達可能に接続し、減速機構及びモータはガイド機構に組み付け、ガイド機構は、減速機構及びモータをシート巻き軸と供回り回転させることなく温室の開口部を開閉するシート巻き軸の移動方向へ案内し追従移動させるガイドバーへ組み合わせる。モータと電源とを接続する動力回路の正転用及び逆転用のオン・オフスイッチは、使用者の手が届く範囲の位置に設ける。【選択図】図１
2004267031.tif 000002
【特許請求の範囲】
【請求項１】
動力にモータを使用してシート巻き軸を回転し温室の被覆シート類を巻き上げ又は巻き下ろして開口部を開閉する電動式換気装置であって、
温室の開口部を開閉する被覆シート類の下部を巻き込んだシート巻き軸の一端部と、減速機構の出力軸とが軸継手により回転力を伝達可能に接続されており、
前記減速機構の入力軸とモータの出力軸とが回転力を伝達可能に接続されており、
前記の減速機構及びモータはガイド機構に組み付けられており、前記ガイド機構は、前記減速機構及びモータをシート巻き軸と供回り回転させることなく前記温室の開口部を開閉するシート巻き軸の移動方向へ案内し追従移動させるガイドバーへ組み合わされており、
前記モータと電源とを接続する動力回路の正転用及び逆転用のオン・オフスイッチが、使用者の手が届く範囲の位置に、又はスイッチ用紐類を通じて操作可能な位置に設けられていることを特徴とする、温室の簡易な電動式換気装置。
【請求項２】
減速機構は、その入力軸を通じてのみ出力軸を正・逆方向に回転可能で、シート巻き軸を接続した出力軸の側からは回転することが不可能なブレーキ機構を含む構成であることを特徴とする、請求項１に記載した温室の簡易な電動式換気装置。
【請求項３】
モータの正転用及び逆転用のオン・オフスイッチの操作腕は、ガイドバーと平行方向に一定のストローク変位可能なスライドプレートと連係されており、ガイドバー上の移動限度位置に、全開位置及び全閉位置を指示する制御ストッパが設置されており、前記スライドプレートの前端又は後端が前記全開位置又は全閉位置の制御ストッパに当たると操作腕を通じて前記オン・オフスイッチがオフ制御される構成であることを特徴とする、請求項１に記載した温室の簡易な電動式換気装置。
【発明の詳細な説明】
【０００１】
【発明の属する技術分野】
この発明は、主にビニルハウスに代表される温室の側面や屋根面などに換気用開口部を設け、同温室の被覆シートをシート巻き軸により巻き上げ巻き下ろして前記開口部を開閉し通風換気を行う換気装置の技術分野に属し、更に言えば、構成と操作が簡易であり、シート巻き軸の回転動力にモータを採用した半自動の電動式換気装置に関する。
【０００２】
【従来の技術】
温室による各種作物の栽培においては、室内温度の上がりすぎを防ぐ温度調節と、新鮮な外気を取り入れる通風換気を目的として、温室の側壁下部（いわゆる裾部）、あるいは屋根部分に開口部を設け、この開口部の被覆シートをシート巻き軸により巻き上げ巻き下ろして開閉する換気装置が開発され広く実施されている。
例えば図９と図１０は、非特許文献１に開示された裾部の側面換気装置、及び連棟型温室の谷部換気装置の例を示している。
いずれも、温室の棟方向に長い開口部５を設け、同開口部５に沿ってその全長に及ぶ長さに配置したシート巻き軸１へ被覆シート２の下方側端部を巻き込み、同シート巻き軸１の一端部に接続した回転器３を使用者がハンドル４で正・逆方向へ回転することにより、シート巻き軸１で被覆シート２を巻き上げ又は巻き下ろして開口部５を開閉する構成である。本出願人の出願に係る特許文献１にも、同様な構成の裾部（側面）換気装置、及び連棟型温室の谷部換気装置が開示されている。
【０００３】
特許文献２には、温室の屋根部に設けた開口部に沿ってその全長に及ぶ長さに配置したシート巻き軸を、小型モータを動力源に使用して開閉する、全自動型の換気装置が開示されている。即ち、小型モータは、温度センサー、開度センサー、降雨センサーなどを備えた制御装置により、温室内外の環境条件を随時監視して自動制御されるのであり、開口部を全自動的に開閉する構成とされている。
【０００４】
【非特許文献１】
東都興業株式会社が平成８年８月に発行した総合カタログ
【特許文献１】
特開２００１−１２００８１号公報
【特許文献２】
特開平８−７０７１０号公報
【０００５】
【発明が解決しようとする課題】
上記図９と図１０に示し、また、特許文献１に開示された裾部の側面換気装置、及び連棟型温室の谷部換気装置はそれぞれ、シート巻き軸１の一端部に接続した回転器３を使用者がハンドル４で正・逆方向へ回転することにより開閉する、いわば手動式の構成であるから、開閉操作に大変な労力と時間が掛かる。最近の温室栽培農業の従事者は高齢化し、或いは体力に劣る女子が多いので、開閉装置の重労働は苦痛なものになっている。最近は温室の数が１棟に限らず、２棟、３棟と増える傾向にあるので、苦痛の度合いが増大している。しかも雷雨の如き急を要する開閉に間に合わせることは甚だ難しいという苦情が多くなっている。
【０００６】
その点、上記特許文献２に開示されたような電動式で、しかも全自動型の換気装置は、上記の問題を全て解決しているかに見える。しかし、全自動式であるが故に、農家の人が温室を組み立てて使用することは難しい。専門知識を持った温室メーカーによる組み立てと設定、調整が不可欠であり、非常に高価な設備となることが問題である。のみならず、供用中のメンテナンスも重要である。温室の使用者が、随時に好ましい設定に変更、調整して使用したくても、専門的知識に乏しい高齢者や女子にとって到底無理なことであり、結局は使い勝手が悪いという問題がある。
【０００７】
本発明の目的は、開閉の動力にモータを使用した電動式で、開閉操作の重労働を解消すると共に迅速な開閉操作の要請を満たすことができ、しかも構造が簡易で安価であり、高齢者や女子にもごく初歩的な知識で簡便に使いこなせて使い勝手が良い、簡易な半自動の電動式換気装置を提供することである。
【０００８】
【課題を解決するための手段】
上記した従来技術の課題を解決するための手段として、請求項１に記載した発明に係る温室の簡易な電動式換気装置は、
動力にモータを使用してシート巻き軸を回転し温室の被覆シート類を巻き上げ又は巻き下ろして開口部を開閉する電動式換気装置であって、
温室の開口部を開閉する被覆シート類の下部を巻き込んだシート巻き軸の一端部と、減速機構の出力軸とが軸継手により回転力を伝達可能に接続されており、
前記減速機構の入力軸とモータの出力軸とが回転力を伝達可能に接続されており、
前記の減速機構及びモータはガイド機構に組み付けられており、前記ガイド機構は、前記減速機構及びモータをシート巻き軸と供回り回転させることなく前記温室の開口部を開閉するシート巻き軸の移動方向へ案内し追従移動させるガイドバーへ組み合わされており、
前記モータと電源とを接続する動力回路の正転用及び逆転用のオン・オフスイッチが、使用者の手が届く範囲の位置に、又はスイッチ用紐類を通じて操作可能な位置に設けられていることを特徴とする。
【０００９】
請求項２に記載した発明は、請求項１に記載した温室の簡易な電動式換気装置において、
減速機構は、その入力軸を通じてのみ出力軸を正・逆方向に回転可能で、シート巻き軸を接続した出力軸の側からは回転することが不可能なブレーキ機構を含む構成であることを特徴とする。
【００１０】
請求項３に記載した発明は、請求項１に記載した温室の簡易な電動式換気装置において、
モータの正転用及び逆転用のオン・オフスイッチの操作腕は、ガイドバーと平行方向に一定のストローク変位可能なスライドプレートと連係されており、ガイドバー上の移動限度位置に、全開位置及び全閉位置を指示する制御ストッパが設置されており、前記スライドプレートの前端又は後端が前記全開位置又は全閉位置の制御ストッパに当たると操作腕を通じて前記オン・オフスイッチがオフ制御される構成であることを特徴とする。
【００１１】
【発明の実施形態】
以下に、請求項１〜３に記載した発明に係る温室の簡易な半自動の電動式換気装置を、図示した実施形態に基づいて説明する。
図１は、本発明に係る簡易な電動式換気装置を、温室１０の屋根部に形成した開口部５へ適用した実施形態を示す。図２〜図４は動力に軽量な小型モータ３０を使用してシート巻き軸１を回転する部分の詳細を示す。温室１０の開口部５の被覆シート２をシート巻き軸１で巻き上げ又は巻き下ろして開口部５を開閉する動力に小型モータ３０を採用した電動式換気装置である。図１において、符号１１と１２は開口部５を形成する下張りシートを示す。被覆シート２は、その上端側をシート止め材１３に止着されている。なお、被覆シート２と共に遮光ネットを巻き上げ又は巻き下ろす場合もあるので、まとめて被覆シート類と称する場合がある。また、開口部５は防鳥ネット、防虫ネットで遮弊して実施することが多い。
【００１２】
温室１０の開口部５を開閉する被覆シート２の下部を巻き込んだシート巻き軸１の一端部と、減速機構２０の出力軸２１とが軸継手２２により回転力を伝達可能に接続されている（図２）。したがって、軸継手２２を緩めると、シート巻き軸１と減速機構２０とは簡単に切り離せる。
前記の減速機構２０は、一例として本出願人が特開２０００−３４６１６７号公報に提案して公知であるように、その入力軸２３（図４参照）を通じてのみ出力軸２１を正・逆方向に回転可能で、出力軸２１の側から回転することは不可能なブレーキ機構を含む構成である（請求項２記載の発明）。つまり入力軸２３の回転を止めると、直ちにその位置へシート巻き軸１をきちんと静止させることができ、開口部５の開口度又は閉鎖度は小型モータ３０の回転度に応じて自由自在に調節可能である。
【００１３】
上記減速機構２０の入力軸２３と、小型モータ３０に付属する減速機構部３１の出力軸３２とが回転力を伝達可能に接続されている。前記の減速機構２０と、小型モータ３０及びその減速機構部３１は、ガイドバー４０へ組み付けたガイド機構５０の両側面部に相対峙する配置に取り付けられている。本実施例の小型モータ３０は、２４ボルト電源で運転される、出力５０ワット程度のものであるが、この限りではない。用途に応じて更に大型のモータ又は超小型モータを使用することができる。
【００１４】
ガイド機構５０は、ガイドバー４０の上下を挟む鼓形状のガイドローラ５１、５１の対を前後に２対（但し、２対の限りではない。）備えている。同ガイドローラ５１の車軸５２の両端が、両側のフレーム枠５３、５３と結合されている。前記の減速機構２０、及び小型モータ３０の減速機構部３１はそれぞれ、両側のフレーム枠５３、５３の外面へボルト止め等の手段で固定されている。したがって、ガイド機構５０はガイドバー４０に沿って移動することにより、前記の減速機構２０、及び小型モータ３０とその減速機構部３１を、シート巻き軸１と供回り回転をさせることなく、温室１０の開口部５を開閉するシート巻き軸１の移動方向へ案内され追従移動する。
【００１５】
ガイド機構５０の一方のフレーム枠５３の外面に、小型モータ３０の正転用及び逆転用のオン・オフスイッチ（所謂スナップ型スイッチ）６０が設置されている。このオン・オフスイッチ６０の操作腕（スナップアーム）６１は、フレーム枠５３に沿ってガイドバー４０と平行方向に前記スナップ型スイッチ６０をオン、オフするに足るストロークの変位が可能に設置されたスライドプレート６２の通孔６３へ緩く差し入れて連係されている。スライドプレート６２は、図３に示したように、フレーム枠５３と同一長さであり、ガイドバー４０の上段側において前後する２個のガイドローラ５１、５１の車軸５２がそれぞれ緩く通る幅でガイドバー４０と同方向に長い矩形状の長孔６４を有する。前記長孔６４へ車軸５２を通すことによって、同長孔６４の長さで許容されるストロークの変位が可能に設置されている。
【００１６】
このスライドプレート６２にはまた、前記のオン・オフスイッチ６０を、その操作腕６１を通じてオン操作する、正転用及び逆転用の２本のスイッチ用紐６５と６６が、各々の先端６５ａ、６６ａを止着して設けられている。スイッチ用紐６５と６６はそれぞれ、正反対のガイドローラ５１の車軸５２の外周を経由して下方へ垂らされている。よって、正転用又は逆転用の２本のスイッチ用紐６５又は６６のいずれか一方を引っ張ると、スライドプレート６２をその方向へ一定ストローク移動させることになり（図３の点線図示を参照）、それに伴って操作腕６１をスイッチオンの角度位置まで倒し、小型モータ３０を起動させることができる。もっとも、２本のスイッチ用紐６５、６６は、換気装置が図１のように使用者の手が届かない屋根面の開口部５に設置された場合の便宜を図ったものであり、例えば図７のように使用者の手が届く側面の開口部５に適用された場合には無用であり省略される。
【００１７】
上記スナップ型のオン・オフスイッチ６０は、常時は、操作腕６１がスライドプレート６２に垂直な中立位置（スイッチオフ位置）を保つ。上記正転用又は逆転用の２本のスイッチ用紐６５又は６６のいずれか一方を引っ張ってスライドプレート６２を一方向へ移動させて操作腕６１をスイッチオン位置に傾けると、小型モータ３０が正転又は逆転起動される。その結果、小型モータ３０の回転動力は、減速機構部３１および減速機構２０でそれぞれ十分に減速された速度でシート巻き軸１へ伝えられ、同シート巻き軸１を正転又は逆転回転するので、開口部５が開閉されるのである。
【００１８】
一方、ガイドバー４０には、上記シート巻き軸１に追従して移動するガイド機構５０の移動限度位置に、開口部５の全開位置及び全閉位置を指示する制御ストッパ６７と６８が設置されている（図１参照）。ここでいう制御ストッパ６７、６８は、上記正転用又は逆転用の２本のスイッチ用紐６５又は６６のいずれか一方を引っ張って、図３に点線で図示したように一定ストローク移動されガイド機構５０のフレーム枠５３の端縁より突き出されたスライドプレート６２の前端又は後端が突き当たる物であれば良く、特にその形状、構造の如何を問わない。取付位置の変更、調節の自在性を考慮すれば、ガイドバー４０への着脱操作が容易なクランプの類が好適である。
【００１９】
要するに、スイッチオンされた小型モータ３０によって開口部５の開閉が進み、ガイドバー４０に沿って進んだガイド機構５０のスライドプレート６２の前端又は後端が前記の全開位置又は全閉位置の制御ストッパ６７、６８に当たり、フレーム枠５３の端縁と同じ位置まで押し込まれると、それに伴って操作腕６１が中立位置（スイッチオフ位置）へ押し戻され、同操作腕６１を通じてオン・オフスイッチ６０がオフ制御され、小型モータ３０が停止される。つまり、小型モータ３０のスイッチオンは、使用者が上記正転用又は逆転用の２本のスイッチ用紐６５又は６６のいずれか一方を引っ張る手動操作であるが、その後は放置しておいても、全開位置又は全閉位置を指示する制御ストッパ６７又は６８の位置で自動停止する半自動であるから、非常に簡便で使い勝手が良い。１棟型又は連棟型の温室に複数の換気装置が設備されている場合でも、スイッチ用紐６５又は６６の何れかを次々と引っ張るだけで非常に効率よく迅速に労力を要することなく開閉の目的を達成できる。また、開口部５の開閉位置（開口度又は閉鎖度）についても、上記制御ストッパ６７又は６８の位置を、使用者が、温度環境や作物の生育状態などに応じて予め随意に変更、調節しておくことにより、その通りに開閉制御できて、難しい専門知識などは必要としないから至便である。
【００２０】
本発明の場合、上記のガイドバー４０は、図１に例示したように真っ直ぐな棒形状で良く、その上端側は、温室１０の骨材１８（パイプ材）の中空部内へ回転可能状態に必要十分に長く差し込んだ少し小径の回転軸１４とクランプ１５で強固に結合した片持ち支持の態様で設置されている。したがって、温室１０の開口部５を開閉するシート巻き軸１の移動に追従してガイド機構５０がガイドバー４０に沿って移動するとき、シート巻き軸１が温室１０のアーチパイプ（骨組材）１６の外面に接して伝い移動する上下方向の変位を、前記回転軸１４の回転で許容する。よって、ガイドバー４０を温室１０の屋根や側面の形状に倣った相似形態として設置する必要はない。或いは特許文献１に開示された自在継手によるシャフト、又は特許文献２に開示されたテレスコーピックに伸縮するシャフトなども全く無用である。この意味でも換気装置の構成が簡単で、設置が容易であり、安価に実施できる。
なお、既往技術の通り、シート巻き軸１は、開口部５を形成する上下のシート止め材１３、１３の間にジグザグ状に止着して張った抑えバンド１７により押さえ付けられている。
【００２１】
次に、図５と図６は、ガイドバー４０の異なる設置例を示す。図５は、地面へ突き刺して垂直に立てた支柱７０の上端へ自在継手７１で一端部を連結して支持されたガイドバー４０を使用する実施例を示す。図６は、シート止め材１３のシート止め溝中へ差し込んだ少し柔軟性を有する支持部材７２とガイドバー４０とをクランプ１５で連結した実施例を示す。支持部材７２の柔軟性によりガイドバー４０の変動を許容する構成である。
【００２２】
次に図７は、温室１０の側面下部、いわゆる裾部に形成した開口部５を開閉する換気装置の実施形態を示す。地面に突き刺して垂直姿勢に立てたガイドバー４０に沿って、小型モータ３０及びその減速機構部、減速機構をそれぞれ組み付けたガイド機構５０が移動する構成であり、シート巻き軸１が被覆シート２を巻き上げ又は巻き下ろして開口部５が開閉される。この実施形態の場合には、長いスイッチ用紐が無用であることは上述した。
【００２３】
次に、図８は、例えば図９に示したような回転器３を減速機構２０に利用するもので、その本体部分にガイドバー４０を通すガイド機構５５として貫通された空洞を備えている場合に、電動化した実施例を示す。空洞構造のガイド機構５５を備えている減速機構２０は既往技術として種々公知である。本実施例の場合、小型モータ３０及びこれに付属する減速機構部３１は、先ず取付枠８０と結合され、同取付枠８０の一端部が減速機構２０の支持腕２０ａとクランプ８１で固定されている。一方、小型モータ３０に付属する減速機構部３１の出力軸３２と、減速機構２０の入力軸２３とが軸継手２５で回転力を伝達可能に連結されている。減速機構２０のガイド機構５５へガイドバー４０を貫通させて、例えば図９のような態様で使用される。図８中の符号６０は小型モータ３０のオン・オフスイッチであり、取付枠８０の支持片８２へ設置されている。前記オン・オフスイッチ６０の操作腕６１が、ガイドバー４０に設置された、図示しない制御ストッパに当ってオフ制御されることは、上記実施例と同様である。
【００２４】
ここで付け加えると、請求項１記載の発明においていう減速機構は、請求項２に記載した発明に係る、入力軸２３を通じてのみ出力軸２１を回転可能であり、出力軸２１の側からは回転することが不可能なブレーキ機構を含む（内蔵した）減速機構２０に限らない。モータ３０に付属する減速機構部３１を包含する意味でもある。それは減速機構２０及び減速機構部３１の双方の減速比の総和によって、モータ３０の高速回転を、シート巻き軸１の適正な回転速度に低減する意図を兼ねているからである。しかし、モータ３０に付属する減速機構部３１が、例えば不可逆回転機能を有するウオームギア機構で構成され、且つモータ３０の回転速度をシート巻き軸１の適正な回転速度に減速するだけの減速比を具備するときは、前記ブレーキ機構を含む減速機構２０を除外して、モータ３０に付属する減速機構部３１だけを減速機構として実施することも可能である。
【００２５】
【発明の効果】
請求項１〜３に記載した発明に係る温室の簡易な電動式換気装置によれば、動力源にモータを使用した電動式であるから、開閉操作の重労働を完全に解消できる。また、開口部の迅速な開閉操作の要請を満たすこともできる。その上、構造がすこぶる簡易で安価であるし、高齢者や女子にもごく初歩的な知識で設備でき、簡便に使いこなせて使い勝手が良い。各種のセンサー等による計測を前提としてプログラム化された全自動装置ではなく、モータの起動は使用者が随意にスイッチオンする操作で行うが、開閉動作の停止はガイドバーの制御ストッパで行う半自動の構成であるから、いわゆる使用者が使いこなせる装置であり、この意味でも、使い勝手が良い。更に、開口部の開口度や閉鎖度の設定は、使用者が前記制御ストッパの位置をガイドバー上で変更する操作により至極簡便に行え、現場の実状に合わせられ、やはり使用者が自在に使いこなせるので、専門知識を有さない高齢者や女子にも使い易いのである。
【図面の簡単な説明】
【図１】本発明に係る電動式換気装置を温室の屋根の開口部に適用した実施形態を示す斜視図である。
【図２】シート巻き軸の電動化部分を示す平面図である。
【図３】図２のＩＩＩ−ＩＩＩ矢視図である。
【図４】図２のＩＶ−ＩＶ矢視図である。
【図５】本発明に係る電動式換気装置を温室の屋根開口部に適用した場合の異なる実施形態を示す斜視図である。
【図６】本発明に係る電動式換気装置を温室の屋根開口部に適用した場合の更に異なる実施形態を示す斜視図である。
【図７】本発明に係る電動式換気装置を温室の側面下部の開口部に適用した場合の実施形態を示す斜視図である。
【図８】シート巻き軸の電動化部分の異なる実施例を示す平面図である。
【図９】従来技術を示す斜視図である。
【図１０】異なる従来技術を示す斜視図である。
【符号の説明】
３０        小型モータ
１          シート巻き軸
１０        温室
２          被覆シート
５          開口部
２０        減速機構
３１        減速機構部
２１        出力軸
２２        軸継手
２３        入力軸
３２        出力軸
５０        ガイド機構
４０        ガイドバー
６０        オン・オフスイッチ
６１        操作腕
６５、６６  スイッチ用紐
６２        スライドプレート
６７、６８  制御ストッパ
【図１】
2004267031.tif 000003
【図２】
2004267031.tif 000004
【図３】
2004267031.tif 000005
【図４】
2004267031.tif 000006
【図５】
2004267031.tif 000007
【図６】
2004267031.tif 000008
【図７】
2004267031.tif 000009
【図８】
2004267031.tif 000010
【図９】
2004267031.tif 000011
【図１０】
2004267031.tif 000012